(57)【要約】      （修正有）【課題】簡単な操作で、現在の利用者が乗降室内に入っているとき、次の利用者の誤操作によって現在の利用者が乗降室内に閉じ込められてしまうことを回避できるようにした機械式駐車装置の出入口扉開閉制御装置を提供する。【解決手段】操作盤２またはその近傍に顔認証用カメラを設け、第一認証処理時および第二認証処理時に顔認証用カメラによって利用者の顔画像データをそれぞれ取得し、第二認証処理部２１は、第二認証処理時に取得した顔画像データと第一認証処理時に取得した顔画像データとから利用者の同一性を判定し、第二認証処理部２１による利用者の同一性が判定されたとき出入口扉閉処理部２２による出入口扉の閉操作を行うように構成した。【選択図】図４
2020070692.tif 000002
【特許請求の範囲】
【請求項１】
乗降室に至る手前に出入口扉開処理部および出入口扉閉処理部によって開閉可能に設けられた出入口扉と、前記出入口扉の近傍に配置された操作盤と、前記出入口扉開処理部による前記出入口扉の開操作時に前記操作盤を使用して第一認証処理を行う第一認証処理部と、前記第一認証処理後の前記出入口扉の閉操作時に前記操作盤を使用して第二認証処理を行う第二認証処理部とを有し、前記第二認証処理では前記第一認証処理を行った利用者と同一利用者である場合に前記出入口扉閉処理部による前記出入口扉の閉操作を行うように構成した機械式駐車装置の出入口扉開閉制御装置において、
前記操作盤またはその近傍に顔認証用カメラを設け、前記第一認証処理時および前記第二認証処理時に前記顔認証用カメラによって利用者の顔画像データをそれぞれ取得し、前記第二認証処理部は、前記第二認証処理時に取得した前記顔画像データと前記第一認証処理時に取得した前記顔画像データとから利用者の同一性を判定し、前記第二認証処理部による利用者の同一性が判定されたとき前記出入口扉閉処理部による前記出入口扉の閉操作を行うように構成したことを特徴とする機械式駐車装置の出入口扉開閉制御装置。
【発明の詳細な説明】
【技術分野】
【０００１】
本発明は、車両の入出庫時に開閉操作される入出庫扉を備えた機械式駐車装置の出入口扉開閉制御装置に関する。
【背景技術】
【０００２】
従来の機械式駐車装置として、特開２０１７−５７６８３号公報（特許文献１）が知られている。この特許文献１には、出入口扉を開く前に、利用者による第一認証操作に基づいて当該利用者が登録者であることを確認する第一認証処理部と、前記第一認証処理による一致を確認した後に前記出入口扉を開く出入口扉開処理部と、前記出入口扉を閉じる前に、利用者による第二認証操作に基づいて前記第一認証操作および第二認証操作を行った利用者が一致しているかことを確認する第二認証処理部と、前記出入口扉を閉じる出入口扉閉処理部と、前記出入口扉を開閉操作する出入口扉開ボタンおよび出入口扉閉ボタンとを有する機械式駐車装置の出入口扉開閉制御装置において、前記第一認証操作の信号を受けて一連の処理を開始し、かつ前記出入口扉を一度開いた後に再度閉じるまでの一連の処理を継続的に制御する処理部を設け、前記処理部は、利用者による前記出入口扉閉ボタンを操作することなく前記第二認証処理により利用者が一致しているかことを確認したとき、前記出入口扉閉処理部によって前記出入口扉を閉操作するように構成したことを特徴とする機械式駐車装置の出入口扉開閉制御装置が記載されている。
【先行技術文献】
【特許文献】
【０００３】
【特許文献１】特開２０１７−５７６８３号公報
【発明の概要】
【発明が解決しようとする課題】
【０００４】
しかしながら、特許文献１に記載された従来の機械式駐車装置の出入口扉開閉制御装置は、第一認証処理後の当該利用者が乗降室内に入ったとき次の利用者の誤操作によって乗降室内に閉じ込められてしまう危険を回避するために、当該利用者による第二認証処理を行っているが、複雑な認証操作を繰り返すために面倒な操作が強いられていた。
【０００５】
本発明の目的は、簡単な操作で、現在の利用者が乗降室内に入っているとき、次の利用者の誤操作によって現在の利用者が乗降室内に閉じ込められてしまうことを回避できるようにした機械式駐車装置の出入口扉開閉制御装置を提供することにある。
【課題を解決するための手段】
【０００６】
本発明は上記目的を達成するために、乗降室に至る手前に出入口扉開処理部および出入口扉閉処理部によって開閉可能に設けられた出入口扉と、前記出入口扉の近傍に配置された操作盤と、前記出入口扉開処理部による前記出入口扉の開操作時に前記操作盤を使用して第一認証処理を行う第一認証処理部と、前記第一認証処理後の前記出入口扉の閉操作時に前記操作盤を使用して第二認証処理を行う第二認証処理部とを有し、前記第二認証処理では前記第一認証処理を行った利用者と同一利用者である場合に前記出入口扉閉処理部による前記出入口扉の閉操作を行うように構成した機械式駐車装置の出入口扉開閉制御装置において、前記操作盤またはその近傍に顔認証用カメラを設け、前記第一認証処理時および前記第二認証処理時に前記顔認証用カメラによって利用者の顔画像データをそれぞれ取得し、前記第二認証処理部は、前記第二認証処理時に取得した前記顔画像データと前記第一認証処理時に取得した前記顔画像データとから利用者の同一性を判定し、前記第二認証処理部による利用者の同一性が判定されたとき前記出入口扉閉処理部による前記出入口扉の閉操作を行うように構成したことを特徴とする。
【発明の効果】
【０００７】
本発明による機械式駐車装置の出入口扉開閉制御装置によれば、利用者が操作盤の前に立って第二認証処理を行うとき、第一認証処理時の顔画像データを利用しているため、第二認証処理は操作の簡易化が図られ、利用者の負担を軽減すると共に短時間に行うことができるようになり、第一認証処理を行った利用者が乗降室内にいるときに、別の利用者が操作盤を誤操作して出入口扉が閉じられるリスクを低減することができる。
【図面の簡単な説明】
【０００８】
【図１】本発明を適用する機械式駐車装置の出入口扉を示す正面図である。
【図２】本発明の一実施例による機械式駐車装置の出入口扉開閉制御装置における操作盤を示す拡大正面図である。
【図３】図２に示した操作盤の要部におけるブロック構成図である。
【図４】本発明の一実施例による機械式駐車装置の出入口扉開閉制御装置を示すブロック構成図である。
【図５】図２に示した操作盤の液晶画面がカード認証画面となった状態を示す正面図である。
【図６】図２に示した操作盤の液晶画面が無人確認画面に切り替えられた状態を示す正面図である。
【図７】図２に示した操作盤の液晶画面が安全確認画面に切り替えられた状態を示す正面図である。
【図８】図４に示した機械式駐車装置の出入口扉開閉制御装置による処理動作を示すフローチャートである。
【発明を実施するための形態】
【０００９】
以下、本発明の実施例を図面に基づいて説明する。
【実施例１】
【００１０】
図１は、本発明を適用する機械式駐車装置の出入口扉を示す正面図である。
【００１１】
機械式駐車装置内への出入口には、上下方向に移動して開閉される出入口扉１が付設されており、その近傍の外壁面には出入口扉１の開閉操作するための操作盤２が配置されている。
【００１２】
入庫の場合、利用者は、駐車車両から降りてきて操作盤２の前に立ち、詳細を後述する第一認証処理を行う。この第一認証処理によって出入口扉１を開状態にした後、利用者は、駐車車両を運転して出入口扉１の奥側に形成されている乗降室に入って駐車車両を所定の位置に停車させる。その後、利用者は、乗降室から出てきて操作盤２の前に立ち詳細を後述する一連の処理の中で第二認証処理を行い、第一認証を行った利用者と同一利用者であることを確認した後に、出入口扉１を元の閉状態に戻す。
【００１３】
出庫の場合も同様であって、利用者は操作盤２の前に立ち、詳細を後述する第一認証処理を行う。これによって出入口扉１を開状態にした後、利用者は、出入口扉１の奥側に形成されている乗降室に入って駐車車両に乗り込み、出入口扉１を出た位置で車両を一旦停止させる。その後、利用者は車両から降りて操作盤２の前に立ち、一連の処理の中で第二認証処理を行い、第一認証を行った利用者と同一利用者であることを確認した後に、出入口扉１を再び元の閉状態にする。
【００１４】
図２は、本発明の一実施例による機械式駐車装置の出入口扉開閉制御装置における操作盤２を示す拡大正面図である。
【００１５】
操作盤２は、利用者に対して表示画面によって操作を促すタッチパネル式の液晶画面３と、その操作を補足する音声案内を行うためのスピーカ４と、主に管理員などによって出入口扉１を開閉動作させるときに操作される出入口扉開ボタン５および出入口扉閉ボタン６と、緊急時に操作される緊急停止ボタン７と、利用者が予め所持しているＩＣカードから情報を読み取るＩＣカード読み取り部８と、操作盤２またはその近傍に配置されて所定のタイミングで利用者の顔画像データを取得する顔認証用カメラ９などを有している。
【００１６】
図３は、操作盤２の要部におけるブロック構成図である。
【００１７】
ＩＣカード読み取り部８は、ＩＣカード１０がかざされたときＩＣカード１０の識別データエリア１１内の識別データが読み取って詳細を後述する制御装置１２側の信号送受信部１３にデータを送信する。また、顔認証用カメラ９は、所定のタイミングで利用者の顔画像データを取得したとき、制御装置１２側の画像処理部１４に画像データを送信し、その後、画像記憶部１５にその後の第二認証処理時に使用するために信号送受信部１３で取得した識別データと関連づけて格納される。
【００１８】
図４は、本発明の一実施例による機械式駐車装置の出入口扉開閉制御装置を示すブロック構成図である。
【００１９】
この出入口扉開閉制御装置は、操作盤２との間での信号を送受信する信号送受信部１３と、利用者による入庫時の第一認証操作によってＩＣカード読み取り部８から取得した識別データに基づいて当該利用者が登録者であることを確認する第一認証処理部１７と、同じ第一認証操作によって顔認証用カメラ９から取得した顔画像データをＩＣカード読み取り部８から取得した識別データと関連づけて画像記憶部１５に格納する画像処理部１４と、第一認証処理部１７で認証された後に出入口扉１の開操作を行う出入口扉開処理部１８と、出入口扉１の閉操作前に乗降室内の無人状態を確認するための無人確認処理部１９と、無人確認処理部２０で安全を確認したとき起動許可を与える安全確認処理部２０と、出入口扉１の閉操作前に第二認証操作として顔認証用カメラ９から取得した顔画像データと既に取得されて画像記憶部１５に格納している顔画像データを取り出して利用者が一致することを確認する第二認証処理部２１と、上述した第二認証処理部２１で利用者が一致することを確認した後に出入口扉１の閉操作を行う出入口扉閉処理部２２と、各処理部での処理に合わせて液晶画面３の表示を切り替える液晶画面処理部２３と、駐車車両の入庫または出庫に備えてトレーを乗降室の所定位置に準備する搬送処理部２４と、本機械式駐車装置の利用者を登録した登録者データテーブル２５や制御プログラムを格納した記憶部２６と、制御プログラムに従って各部を制御する制御部２７などを備えている。
【００２０】
上述した液晶画面３の表示などを切り替え制御する液晶画面表示処理部２３は、所定のタイミングで液晶画面３の表示を切り替えることによって、利用者の一連の操作を補足的に促すもので、本実施例では少なくともＩＣカード認証画面、無人確認画面、安全確認画面に切り替え表示できるように構成されている。これらの各画面の構成と、各画面の切替タイミングについては、以下に順次説明する。
【００２１】
図５は、操作盤２の液晶画面３がカード認証画面となった状態を示す正面図である。
【００２２】
図４に示した出入口扉開閉制御装置は、例えば入庫時に、利用者が操作盤２を操作して第一認証操作を行うと、制御プログラムに従って一連の処理が開始される構成である。このため待機状態で液晶画面３は、第一認証時の第一認証処理部１７および液晶画面表示処理部２３によって、ＩＣカード認証画面となって待機している。
【００２３】
このときのＩＣカード認証画面では、図５に示すように液晶画面３の下部に「呼出操作を受け付けています。カードをタッチしてください」という文字表示２８が行われたり、スピーカ４からの音声案内が追加されたり、またその操作がどのように行われるものかが一目瞭然となるように画面で例示したりしている。また液晶画面３には、テンキーによる別操作に切り替え表示させるテンキー表示２９が割り付けられている。
【００２４】
この液晶画面３などによって、操作盤２の前に立っているのが不慣れな利用者であったとしても、今行う操作が何かを容易に知ることができる。そこで、利用者は自分が所持しているＩＣカードをＩＣカード読み取り部８にかざすと、この操作が第一認証の操作信号となり、図３に示したＩＣカード１０の識別データが読み取られて出入口扉開閉制御装置側に送信される。
【００２５】
図５に示した液晶画面３のテンキー表示２９がタッチ操作されると、液晶画面表示処理部２３によって液晶画面３が暗証番号認証画面に切り替えられる。このときの暗証番号認証画面では、利用者がＩＣカードの所持を忘れた場合でも、暗証番号の入力によって認証を行うことができる。
【００２６】
図６は、操作盤２の液晶画面３が無人確認画面に切り替えられた状態を示す正面図である。
【００２７】
この無人確認入力画面は、その下部に「庫内に人がいないことを確認し、無人確認キーを押してください」という文字表示３０と、スピーカ４からの音声案内と、乗降室内に設置された監視カメラの映像画面３１，３２と、無人状態であることを確認したときに操作される無人確認キー３３などから構成されている。
【００２８】
利用者は、乗降室から出て来たときの目視確認と、映像画面３１，３２とから乗降室内が無人状態であることを確認し、その後、無人確認キー３３を操作することになる。
【００２９】
図７は、操作盤２の液晶画面３が安全確認画面に切り替えられた状態を示す正面図である。
【００３０】
この安全確認画面は、上述の文字表示３０が「庫内の安全を確認し、安全確認キーを押してください」という文字表記に変更され、安全確認キー３４が追加されたもので、安全確認キー３４を操作することによって起動許可を与えるものである。
【００３１】
液晶画面３は、これらの表示に限らず、他の表示に置換したり、文字による補足情報、例えば「出入口扉を閉処理中です」などの文字表示を使用しても良い。また、詳細を後述するように第一認証処理が開始されると、出入口扉１を閉じる処理まで自動継続で行われることになり、出入口扉閉処理中表示画面３７の文字表示３８によって利用者は、出入口扉閉ボタン６を自分で直接操作しなくても出入口扉１が閉じられることを知ることができる。この通知によって、他の駐車装置では利用者が出入口扉閉ボタン６を直接操作する方式に慣れていたとしても、一連の処理の中で対応する操作が行われたことを知ることができる。
【００３２】
図８は、図４に示した機械式駐車装置の出入口扉開閉制御装置による処理動作を示すフローチャートである。
【００３３】
出入口扉開閉制御装置は、第一認証処理部１７および液晶画面表示処理部２３によって液晶画面３を図５で説明したＩＣ認証表示画面に切り替えて待機している。利用者が図５に示したＩＣ認証表示画面に従って自分が所持しているＩＣカード１０をＩＣカード読み取り部８にかざしたとする。すると、ステップＳ１で、第一認証操作の開始信号と、ＩＣカード読み取り部８で読み取った識別データとが信号送受信部１３へと送信される。
【００３４】
このとき利用者がＩＣカード１０を忘れてしまい暗証番号の入力にしたい場合は、図５のテンキー表示２９をタッチすると、暗証番号認証画面に切り替えることができる。その後、利用者はテンキーを操作して暗証番号を入力すると、第一認証操作の開始信号と、暗証番号の入力信号が信号送受信部１３へと送信される。
【００３５】
いずれの場合も、この信号を受けた出入口扉開閉制御装置では一連の処理が開始され、出入口扉１の実際の開処理に先立って、第一認証処理部１７はステップＳ２で、第一の認証処理が行われる。第一認証処理部１７は第一認証処理を実行し、取得した識別データと、予め登録された登録者データテーブル２５とを用いて、今回の利用者が登録者かどうか判定される。
【００３６】
同時に、今回のＩＣカードの識別データまたは暗証番号が記憶されると共に、対応する利用者の前回のデータを参照して入庫か出庫かの判定が下される。
【００３７】
第一認証処理の結果、登録者でない場合は、ステップＳ３に移行してエラー表示処理がなされ、エラー表示画面に切り替えられたりスピーカ４からエラーメッセージが音声出力されたりする。
一方、ステップＳ２で今回の利用者が登録者であると判定された場合、ステップＳ４で顔認証用カメラ９は利用者の顔を撮影し、その顔画像データが信号送受信部１３へと送信される。画像処理部１４は、ステップＳ５でこの顔画像データを識別データと関連づけて画像記憶部１５に格納する。
【００３８】
次いで、搬送処理部２４は、ステップＳ６で搬送呼出処理を行う。搬送呼出処理としては、入庫の場合は空のトレーが、また出庫の場合は当該駐車車両を搭載した状態のトレーがそれぞれ乗降室内の所定の位置に搬送されて準備される。このトレーの到着後に出入口扉開処理部１８では、ステップＳ７で出入口扉１を上方へと開いて出入口９を開放する。
【００３９】
利用者は、入庫の場合には出入口の前に停車させておいた駐車車両内に再び乗り込んで運転して、準備されたトレー上の所定位置に駐車車両を停車させる。その後、乗降室内における作業を完了した利用者は、開扉状態の出入口から出て再び操作盤２の前へと移動する。
【００４０】
これに先立って、出入口扉開閉制御装置の無人確認処理部１９は、出入口扉開処理部１８から完了信号を受けて、ステップＳ８で液晶画面表示処理部２３を通して液晶画面３を図６に示すように無人確認入力画面に切り替えている。
【００４１】
乗降室から出て来るとき利用者は、近傍の状況を目視によって確認しているが、再度、図６に示した無人確認入力画面を使用して乗降室内が無人状態であることを確認することになる。無人確認入力画面には、その下部に「庫内に人がいないことを確認し、無人確認キーを押してください」という文字表示３０と、スピーカ４からの音声案内と、乗降室内に設置された監視カメラの映像画面３１，３２とがある。これらを見聞きした利用者は、無人状態であることを確認したとして無人確認キー３３を操作する。
【００４２】
この信号を受けた信号送受信部１３は、無人確認処理部１９での処理を完了させ、次いでステップＳ９で安全確認処理部２０での処理を開始させる。安全確認処理部２０は、図７に示すように液晶画面３を安全確認画面に切り替えて表示させる。この安全確認画面を見た利用者は、文字表示３４やスピーカ４からの音声案内に従って、安全確認キー３３を操作すると、起動許可が与えられる。
【００４３】
安全確認キー３３の操作信号が出入口扉開閉制御装置側に取り込まれると、安全確認処理部２０での処理が終了となる。第二認証処理部２１は、遅くても安全確認処理部２０での終了信号を受けてステップＳ１０で顔認証用カメラ９によって利用者の顔を再度撮影し、二度目の顔画像データを信号送受信部１３を通して受け取る。また第二認証処理部２１はステップＳ１１で、画像処理部１４の画像記憶部１５にステップＳ５で既に格納されている第一認証処理時の顔画像データを取り出し、第二認証処理時の顔画像データと照合し、同一人物であるかどうかを判定する。
【００４４】
その結果、第二認証処理部２１が同一人物であるかどうかを判定した場合、出入口扉閉処理部２２は、例えば、第二認証処理部２１を通して信号を受けた液晶画面表示処理部２３は、液晶画面３を出入口扉閉処理中表示画面に切り替え、「出入口扉を閉処理中です」などの文字表示によって、一連の自動継続処理の中で出入口扉１を閉じる処理が既に受け付けられていることを利用者に通知する。
【００４５】
一方、第二認証処理の結果、第一認証処理時の利用者と一致しない場合は、ステップＳ１２に移行してエラー表示処理がなされ、エラー表示画面に切り替えられたりスピーカ４からエラーメッセージが音声出力されたりする。
【００４６】
その後、処理の最後として、出入口扉閉処理部２２は、ステップＳ１３で出入口扉１を実際に閉じる。このとき、利用者の履歴データとして入庫または出庫データが次回使用のために保存されるが、今回の第一認証処理時の顔画像データと、第二認証処理時の顔画像データは、画像処理部１４によってステップＳ１４で消去される。
【００４７】
このような一連の処理を行うため、第一認証処理を行った利用者が乗降室内でまだ作業を行っているときに、別の利用者が操作盤２を誤操作して出入口扉１が閉じられるリスクを低減することができる。また、利用者が操作盤２の前に立って第二認証処理を行うとき、第一認証処理時の顔画像データを利用しているため、第二認証処理の簡易化を図って利用者の負担を軽減すると共に短時間に行うことができるようになる。このため、第二認証処理時に、次の利用者や他の人が乗降室内に入り込んでしまうことを確実に防止することができる。
【００４８】
同様に、第二認証処理後に、利用者自身が忘れ物などをしたことを思い出し、しかも、まだ出入口扉１が閉じられていないという理由で乗降室内に入っても、次の利用者によって出入口扉１を操作されて現在の利用者が乗降室内に閉じ込められてしまうことを防止することができる。こうして、操作の簡易化と共に、利用者の安全性を一層向上させることができる。
【００４９】
尚、上述した実施例でステップＳ１の第一認証操作は、利用者が所持しているＩＣカードをかざしたり、暗証番号を入力したりすることから始まるものとして説明したが、利用者がそれぞれ所持するリモコンを操作することから始まるようにしてもよい。この場合、操作盤２あるいは出入口扉開閉制御装置側でリモコンの操作信号を受信し、操作信号に含まれる暗号キーから利用者を識別し、利用者データテーブルの情報と比較して登録者かどうかを判定するようにする。
【００５０】
また上述した実施例では、液晶画面表示処理部２３によって液晶画面３の表示を少なくともカード認証画面、暗証番号認証画面、無人確認画面、安全確認画面を切り替え表示可能なものとして説明したが、一部を省略したり、さらに他の表示画面を追加したりすることができ、また各表示画面の構成も図示のものに限定するものではない。
【００５１】
さらに本発明は、上述した実施例で説明した操作盤２および出入口扉開閉制御装置に限らず、他の構成の操作盤および出入口扉開閉制御装置を使用した機械式駐車装置に適用することができる。つまり、乗降室に至る出入口扉１の開操作時に第一認証処理を行い、その後の出入口扉１の閉操作時に第二認証処理を行い、この第二認証処理では第一認証処理を行った利用者と同一利用者である場合に出入口扉１の閉操作を行う構成の機械式駐車装置の出入口扉開閉制御装置に適用することができる。
【００５２】
以上説明したように本発明は、乗降室に至る手前に出入口扉開処理部１８および出入口扉閉処理部２２によって開閉可能に設けられた出入口扉１と、出入口扉１の近傍に配置された操作盤２と、出入口扉開処理部１８による出入口扉１の開操作時に操作盤２を使用して第一認証処理を行う第一認証処理部１７と、第一認証処理後の出入口扉１の閉操作時に操作盤２を使用して第二認証処理を行う第二認証処理部２１とを有し、第二認証処理では第一認証処理を行った利用者と同一利用者である場合に出入口扉閉処理部２２による出入口扉１の閉操作を行うように構成した機械式駐車装置の出入口扉開閉制御装置において、操作盤２またはその近傍に顔認証用カメラ９を設け、第一認証処理時および第二認証処理時に顔認証用カメラ９によって利用者の顔画像データをそれぞれ取得し、第二認証処理部２１は、第二認証処理時に取得した顔画像データと第一認証処理時に取得した顔画像データとから利用者の同一性を判定し、第二認証処理部２１による利用者の同一性が判定されたとき出入口扉閉処理部２２による出入口扉１の閉操作を行うように構成した。
【００５３】
このような機械式駐車装置の出入口扉開閉制御装置によれば、利用者が操作盤２の前に立って第二認証処理を行うとき、第一認証処理時の顔画像データを利用しているため、第二認証処理は操作の簡易化が図られ、利用者の負担を軽減しながら短時間に行うことができるようになり、第一認証処理を行った利用者が乗降室内にいるときに、別の利用者が操作盤２を誤操作して出入口扉１が閉じられるリスクを低減することができる。
【符号の説明】
【００５４】
１    出入口扉
２    操作盤
９    顔認証用カメラ
１７  第一認証処理部
１８  出入口扉開処理部
２１  第二認証処理部
２２  出入口扉閉処理部
【図１】
2020070692.tif 000003
【図２】
2020070692.tif 000004
【図３】
2020070692.tif 000005
【図４】
2020070692.tif 000006
【図５】
2020070692.tif 000007
【図６】
2020070692.tif 000008
【図７】
2020070692.tif 000009
【図８】
2020070692.tif 000010